(57)【要約】【課題】本発明は、汚泥等のスラッジや粒体や粉体や液体などの被吸引物を、その貯蔵庫等の近くまで入り込んで効率よくドラム缶に汲み上げ作業ができる真空汲上げ装置を提供する。【解決手段】本願汲上げ装置は、ドラム缶と、該ドラム缶の空気口に空気ホースを介して接続した真空ポンプと、該真空ポンプの作動により減圧されたドラム缶の流入口に接続した被吸引物の搬入ホースと、前記ドラム缶内に流入された被吸引物の流入量をチェックして前記真空ポンプの作動を停止させるセンサーとを備え、被吸引物の貯蔵場所に接近したところにて被吸引物の回収作業ができるようにした。また、前記ドラム缶を、上蓋と本体胴部とを別個に作成したオープンタイプのもとすることにより、上蓋と本体胴部の底寄りに、ドラム缶同士を接続するホース接続端子を設けて幾つもドラム缶を接続することができるようにし、回収容量の拡大を可能とした。【選択図】図１
2010144612.tif 000002
【特許請求の範囲】
【請求項１】
ドラム缶と、該ドラム缶の空気口に空気ホースを介して接続した真空ポンプと、該真空ポンプの作動により減圧されたドラム缶の流入口に接続した被吸引物の搬入ホースと、前記ドラム缶内に流入された被吸引物の流入量をチェックして前記真空ポンプの作動を停止させるセンサーとを備えたことを特徴とする真空汲上げ装置。
【請求項２】
前記ドラム缶が、上蓋と本体胴部とを別個に作成したオープンタイプのもので、該上蓋と本体胴部の底寄りに、ドラム缶同士を接続するホース接続端子を設けたことを特徴とする請求項１に記載の真空汲上げ装置。
【請求項３】
前記真空ポンプが、エンジンあるいはドラム缶を積載する自動車に搭載したエンジンを動力源とするか又は電動ポンプであることを特徴とする請求項１又は２に記載の真空汲上げ装置。
【発明の詳細な説明】
【技術分野】
【０００１】
本発明は、ドラム缶を減圧して被吸引物、特に、特定の場所に溜められたスラッジや粒体や粉体や液体、あるいはゴルフ場や個人住宅の庭などに作られた池に溜まった汚泥などを汲み上げるための真空汲上げ装置に関するものである。
【背景技術】
【０００２】
従来から、真空汲上げ装置には、たとえば、特開平７−１８９３３３号のバキュームカーがある。このバキュームカーは、車両にタンクと、タンク内を真空（減圧）にするための真空ポンプを搭載し、該搭載ポンプの作動により搭載タンク内を減圧にし、し尿を汲み上げることができるようにしたものである。本公報に示されたバキュームカーは、特に、高い精度で正味容積を計量する装置を備え、し尿回収時の個人家庭に請求する料金を正確にしようとするものである。
【特許文献１】特開平７−１８９３３３号
【発明の開示】
【発明が解決しようとする課題】
【０００３】
しかしながら、上記従来のバキュームカーは、し尿の汲み上げのみならず、スラッジの回収やゴルフ場や個人住宅の庭などに作られた池に溜まった汚泥の回収のためにも構造的に使用できるが、バキュームカーは、通常、大型で、狭い敷地内に作られたスラッジ貯蔵庫やゴルフ場や個人住宅の庭などに近づくことができないことが多く、かかる場合には、バキュームカーの搭載タンクから吸引ホースを長く延ばす必要があり、真空力が減衰したり、真空力をアップさせるためには設備上の負担が大きくならざるを得なかった。
【０００４】
この発明は、上記の点に鑑み見い出したもので、その目的とするところは、汚泥等のスラッジや粒体や粉体や液体などの被吸引物を、その貯蔵庫等の近くまで入り込んで効率よく汲み上げ作業ができる真空汲上げ装置を提供することにある。
【課題を解決するための手段】
【０００５】
上記目的を達成するため、この発明は、ドラム缶と、該ドラム缶の空気口に空気ホースを介して接続した真空ポンプと、該真空ポンプの作動により減圧されたドラム缶の流入口に接続した被吸引物の搬入ホースと、前記ドラム缶内に流入された被吸引物の流入量をチェックして前記真空ポンプの作動を停止させるセンサーとを備えたことを特徴とし、被吸引物の貯蔵場所に接近したところにて被吸引物の回収作業ができるよう構成した。
【０００６】
また、請求項２に記載に係る発明は、前記ドラム缶が、上蓋と本体胴部とを別個に作成したオープンタイプのもので、該上蓋と本体胴部の底寄りに、ドラム缶同士を接続するホース接続端子を設けたことを特徴とし、ドラム缶を幾つも接続することで回収容量を拡大できるように構成した。
【０００７】
さらに、請求項３に記載に係る発明は、前記真空ポンプが、エンジンあるいはドラム缶を積載する自動車に搭載したエンジンを動力源とするか又は電動ポンプであることを特徴とし、汲み上げ量により真空力の大・小が選択できるように構成した。
【発明の効果】
【０００８】
請求項１に記載の発明によれば、ドラム缶と、該ドラム缶の空気口に空気ホースを介して接続した真空ポンプと、該真空ポンプの作動により減圧されたドラム缶の流入口に接続した被吸引物の搬入ホースと、前記ドラム缶内に流入された被吸引物の流入量をチェックして前記真空ポンプの作動を停止させるセンサーとを備えたことを特徴としているから、被吸引物の貯蔵場所に接近したところにて被吸引物のドラム缶への回収作業ができるという優れた効果を奏するものである。
【０００９】
また、請求項２に記載の発明によれば、前記ドラム缶が、上蓋と本体胴部とを別個に作成したオープンタイプのもので、該上蓋と本体胴部の底寄りに、ドラム缶同士を接続するホース接続端子を設けたことを特徴としているから、クローズタイプのドラム缶に比し、オープンタイプのドラム缶には、空気口や流入口は勿論、そのほか、種々の設備、たとえば新たにドラム缶接続端子などの加工により幾つものドラム缶を接続して汲み上げ容量を拡大することも可能であるという優れた効果を奏するものである。
【００１０】
さらに、請求項３に記載の発明によれば、前記真空ポンプが、エンジンあるいはドラム缶を積載する自動車に搭載したエンジンを動力源とするか又は電動ポンプであることを特徴としているから、汲み上げ量により真空力の大・小が選択できるという優れた効果を奏するものである。
【発明を実施するための最良の形態】
【００１１】
以下、この発明の実施の最良の形態を添付の図面に基づいて説明する。図１は本願装置の概略図、図２は上蓋をオープンタイプにしたドラム缶の断面図である。
【００１２】
図において、１はドラム缶で、該ドラム缶１には、クローズタイプのものと、オープンタイプのものとがある。前者の多くは鉄板製で、元々ガソリン、薬剤その他流動体又は半流動体が入れられ、胴部に波状の凹凸を設けた頑強のものであることから、空になったドラム缶の外部の傷を修復し、内部を洗浄乾燥後、穴が開いていないことをチェック（リークテスト）して再利用に供されたもの。後者は、上蓋と本体胴部とを別個に作成し、締付手段により気密液密に一体化して使用されるものである。
【００１３】
前記クローズタイプのドラム缶の上蓋には、もともと空気抜き用の空気口と内容物の流入口（兼流出口）がある。また、オープンタイプのドラム缶は、鉄板製には限らず、空気口も流入口もその他の設備も自在に形成できる。本明細書においては、特に、オープンタイプのドラム缶という以外は、いずれかのドラム缶をも指すものとする。
【００１４】
前記ドラム缶１の上蓋（天板）２に設けた空気口３には、空気ホース４を介して真空ポンプ（排気ブロワー）５が接続されている。また、該上蓋２に設けた流入口（兼流出口）６には搬入ホース７の基端７′が接続され、該搬入ホース７の先端７″は、たとえば、図１の如く、地下貯蔵庫８において貯蔵されている被吸引物（たとえば、スラッジ）９内に投入されている。
【００１５】
しかして、前記真空ポンプ５を作動してドラム缶１内を真空（減圧）にすると、その真空力により搬入ホース７を通して地下貯蔵庫８に貯蔵されている被吸引物９を汲上げることができる。このドラム缶１内に流入した被吸引物９は、センサー１０により容量がチェックされて前記真空ポンプ５の作動（吸引）を停止させるようになっている。該センサー１０には、フロート型のもの（被吸引物が液状のものであると浮上して信号を出力する）と、静電容量型のもの（棒の検知部をプラスとし被吸引物をマイナスとして静電気力により容量を検知して信号を出力する）とがある。
【００１６】
前者のフロート型のセンサー１０は、前記ドラム缶１が追加の設備を加工出来ないクローズタイプであると、ドラム缶１の流入口６に接続した搬入ホース７の気密液密状態を阻害しない状態にて設置される（図１参照）。また、静電容量型のセンサー１０は、追加の設備を加工出来るオープンタイプのドラム缶１の上蓋２の適所（ほぼ中央）に気密液密に設置できる（図２参照）。
【００１７】
前記真空ポンプ５は、大気圧以下の状態にある気体を吸い出して真空の程度を上げるために用いられる装置（排気ブロワー）である。大気圧以下の圧力表示には、大気圧を基準としてそれとの差で表す大気圧基準（ゲージ圧力）と、絶対圧力基準（絶対圧力）とがあり、前者の表示は負で表される。しかして、クローズタイプのドラム缶の大気圧基準は３ｍＨ2 Ｏ（水柱）前後であるとされているが、オープンタイプのドラム缶の大気圧基準は６ｍＨ2 Ｏ（水柱）以上得られることが実験的に認められている。
【００１８】
前記真空ポンプ５には、原理、構造により幾つかに大別できるが、本願実施例では機械式真空ポンプを用いている。機械式真空ポンプのうち、主要部はシリンダー、ピストン及びシリンダー端面又は側面に設けた吸込弁、吐出弁とからなるポンプ、あるいはケーシング内に互いに反対方向に回転する２つのロータの作用によりケーシング内に閉じ込めた気体をケーシングの吸入側から吐出側へ移送する形式のロータリブロワーを用いてもよい。  
【００１９】
前記ピストンの作動あるいはロータはエンジンを動力源とするほか、ドラム缶を積載する自動車に搭載したエンジンを動力源とするものでもよい。さらには、被吸引物が小量である場合には電灯線（１００Ｖ）で作動する電動モータを駆動源とするものもある。前記真空ポンプ（ブロワー）５の起動は手動で行うが、停止は前記センサー１１により自動的に行われるようになっている。尤も、手元スイッチ（コントローラ）の操作により起動停止を行えるようにすることは可能である。また、前記真空ポンプ（ブロワー）５はその吸込側、吐出側を切り換えて運転できるようにすることも可能である。
【００２０】
前記ドラム缶１の空気口３と真空ポンプ５とを接続する空気ホース４の結合手段と、前記ドラム缶１の上蓋２の流入口６と搬入ホース７の基端７′との結合手段は、図示していないが、消防車等で採用されているワンタッチ方式で雌雄結合（管継手）できるようになっているものがよい。また、前記搬入ホース７は、基端７′から先端７″までは標準的な長さのものが用意されることとなるが、ドラム缶１と貯蔵庫８との距離によっては、両端に結着手段を備えた継ぎホース（図示せず）を用意してもよい。また、前記搬入ホース７及び継ぎホースは、透明素材にて形成されていると、ホース内を通る被吸引物の色、流動状態が視認できるので好ましい。
【００２１】
前記ドラム缶１が、図２の如く、上蓋２と本体胴部１′とを別個に作成したオープンタイプのものである場合、上蓋２には前記空気口３及び流入口（兼流出口）６のほかに、ホース接続端子１１と、本体胴部１′の底寄りに、ホース接続端子１１′がそれぞれ設けられている。しかして、前記オープンタイプのドラム缶１を幾つも連繋する場合には、１つのドラム缶１（Ａ）と、次のドラム缶１（Ｂ）の上蓋２のホース接続端子１１同士を連繋ホース１２にて接続（実線）する場合と、１つのドラム缶１（Ａ）の本体胴部１′の底寄りのホース接続端子１１′と、次のドラム缶１（Ｂ）の上蓋２の流入口（兼流出口）６とを連繋ホース１２′にて接続（一点鎖線）する場合もある。これらはオープンタイプのドラム缶を幾つも接続してスラッジ等の回収容量を拡大できるようにするためである。尤も、上蓋２のホース接続端子１２同士を連繋したときは、ドラム缶内に汲み上げられるスラッジを順次沈降分離させることができるため有効である。
【００２２】
前述のように、ドラム缶１はその幾つもが並列又は直列に連繋したときも、各ドラム缶１の上蓋２に設けた空気口３には、それぞれ空気ホース４を介して真空ポンプ５に接続される。この場合、前記センサー１０は、図２の如く、最終のドラム缶１に設置すれば足りることは勿論である。
【００２３】
上記実施態様に示した本願真空汲上げ装置は、トラックの荷台に必要な数の空のドラム缶１、真空ポンプ５、及び各種ホース類（空気ホース４、搬入ホース７、継ぎホース、連繋ホース１２など）を積載して現場（例えば、スラッジを地下貯蔵庫などに溜めた工場）へ向かう。
【００２４】
そこでドラム缶１の上蓋２に設けた空気口３に、空気ホース４を介して真空ポンプ５を接続するとともに、前記上蓋２に設けた流入口６に基端７′を接続した搬入ホース７の先端７″を地下貯蔵庫８に溜められているスラッジ（被吸引物９）内に投入し、前記真空ポンプ５を作動する。
【００２５】
しかる後、前記真空ポンプ５の作動により現場のドラム缶１は空気が引き抜かれて真空化し、その真空力により地下貯蔵庫８内のスラッジがドラム缶１内へ汲み上げられることとなる。このスラッジ回収に当たり、現場のドラム缶１内の空気は真空ポンプ５の作用で次々と大気中に排出されていることから、ドラム缶１には気液混合でスラッジが汲み上げられても、空気分は溜まらず、正味スラッジが効率よく溜められる。この正味スラッジ量は回収料金として依頼者に請求される。
【００２６】
かくして、順次、総てのスラッジ回収が完了したならば、基地へ持ち帰り、ドラム缶１内のスラッジの種類によっては、ドラム缶がオープンタイプであれば、上蓋２を開放して処理施設内にクレーンで持ち上げて転倒させることもあるし、クローズタイプであれば、真空ポンプ５の吸込側と吐出側とを切り換えて排出することになる。また、所定の処理（例えば、沈降分離）して上澄み部分と沈降部分とを区別し、再利用業者に販売することもある。
【００２７】
また、上記実施態様に示した本願真空汲上げ装置は、たとえば、トラックの荷台上に積んだドラム缶１に、川や井戸から汲み上げた水を満たし、真空ポンプ５の吸込側と吐出側とを切り換えて乾燥している農場にて作物の水くれ作業を行うことも容易にできることとなる。
【００２８】
さらに、上記実施態様に示した本願本願真空汲上げ装置は、トラックの荷台上のドラム缶に飲み水を満たし、災害時や渇水時における給水車として利用できることも勿論可能である。
【産業上の利用可能性】
【００２９】
本願発明は、ドラム缶の減圧による真空力により汲み上げる被吸引物、特に、特定の場所に溜められたスラッジ、ゴルフ場や個人住宅の庭などに作られた池に溜まった汚泥などをドラム缶に回収できる。すなわち、工業用プロセスをはじめとする各種廃液処理に用いても好適であって、環境上の利用可能性は極めて大である。
【図面の簡単な説明】
【００３０】
【図１】本願装置の概略図である。
【図２】上蓋をオープンタイプにしたドラム缶の断面図である。
【符号の説明】
【００３１】
１  ドラム缶
２  上蓋
３  空気口
４  空気ホース
５  真空ポンプ（排気ブロワー）
６  流入口（兼流出口）
７  搬入ホース
７′  基端
７″  先端
８  地下貯蔵庫
９  被吸引物（スラッジ）
１０  センサー（フロート型、静電容量型）
１１、１１′  ホース接続端子
１２  連繋ホース
【図１】
2010144612.tif 000003
【図２】
2010144612.tif 000004